【手続補正書】
【提出日】令和3年5月6日(2021.5.6)
【手続補正１】
【補正対象書類名】特許請求の範囲
【補正対象項目名】全文
【補正方法】変更
【補正の内容】
【特許請求の範囲】
【請求項１】
成長ポッドであって、
複数の個別の植物を成長させるための複数のカートと、
複数のポッド環境アフェクタと、
プロセッサと、論理を記憶しているメモリコンポーネントとを含むポッドコンピューティングデバイスであって、前記論理は、前記プロセッサによって実行されると、前記成長ポッドに、少なくとも、
レシピプログラムを受信することであって、前記レシピプログラムは、前記成長ポッドに関する成長レシピを定義し、前記成長レシピは、前記複数の個別の植物に関する成長を促進するための前記複数のポッド環境アフェクタの少なくとも一部の作動を含み、前記レシピプログラムは、前記成長ポッドを制御するための複数のコマンドを含むスクリプト言語を介して作成されており、前記複数のコマンドは、前記成長ポッドに特有である、ことと、
前記複数のカートのそれぞれと対応する前記レシピプログラムの複数のインスタンスをインスタンス化することと
を実施させる、ポッドコンピューティングデバイスと
を備える、成長ポッド。
【請求項２】
出力デバイスをさらに備え、前記論理はさらに、前記出力デバイスに、前記複数のカートのそれぞれのステータスを提供させる、請求項１に記載の成長ポッド。
【請求項３】
前記レシピプログラムは、最初に、遠隔コンピューティングデバイス上のシミュレータプログラムを介してシミュレートされ、前記シミュレータプログラムは、前記成長ポッドの仕様を受信し、前記複数のカートのうちの少なくとも１つ上での前記レシピプログラムの動作をシミュレートするように構成される、請求項１に記載の成長ポッド。
【請求項４】
前記レシピプログラムは、最初に、試験チャンバ上で実行され、
前記試験チャンバは、試験カートと、複数のチャンバ環境アフェクタとを含む、閉鎖環境を画定し、
前記試験チャンバは、前記レシピプログラムを受信するチャンバコンピューティングデバイスを含み、
前記チャンバコンピューティングデバイスは、前記成長レシピの単一のインスタンスを前記レシピプログラムから前記試験チャンバに適用するための試験コンパイラを実行し、
前記レシピプログラムは、前記複数のチャンバ環境アフェクタのうちの少なくとも１つを作動させる、
請求項１に記載の成長ポッド。
【請求項５】
前記複数のポッド環境アフェクタは、ヒータ、空気調節装置、加湿器、除湿器、ファン、酸素発生器、または二酸化炭素発生器のうちの少なくとも１つを含み、
前記成長ポッドは、前記レシピプログラムに関する問題を検出し、前記問題に関するアラートを提供し、
前記レシピプログラムは、前記レシピプログラムに対する改良をさらに決定するために、種々の時点で前記成長レシピの一部を改変するための特徴を含む、請求項１に記載の成長ポッド。
【請求項６】
プログラムするためのシステムであって、
植物を成長させるための複数のカートを含む成長ポッドと、
プロセッサと、論理を記憶しているメモリコンポーネントとを含むプログラミングコンピューティングデバイスであって、前記論理は、前記プロセッサによって実行されると、前記システムに、少なくとも、
前記成長ポッドを制御するための複数のコマンドを含むスクリプト言語を提供することと、
前記成長ポッドに関連するデータを受信することと、
前記スクリプト言語を介して前記成長ポッドに関するコマンドを受信することと、
前記コマンドを利用し、前記成長ポッドにおいて利用されるとき、前記植物に関する成長レシピを定義するレシピプログラムを作成することと、
前記レシピプログラムを前記成長ポッド上に実装することであって、前記実装することは、前記成長ポッドを利用し、前記複数のカートのそれぞれと対応する前記レシピプログラムの複数のインスタンスをインスタンス化することを含む、ことと
を実施させる、プログラミングコンピューティングデバイスと
を備える、システム。
【請求項７】
前記プログラミングコンピューティングデバイスはさらに、前記成長ポッドにおける前記レシピプログラムの実行をシミュレートするためのシミュレータを記憶し、
前記シミュレータは、前記複数のカートのサブセットまたは前記複数のカートのそれぞれをシミュレートするためのユーザオプションを含む、請求項６に記載のシステム。
【請求項８】
試験チャンバをさらに備え、
前記試験チャンバは、試験カートと、複数のチャンバ環境アフェクタとを含む、閉鎖環境を画定し、
前記試験チャンバは、前記レシピプログラムを受信するチャンバコンピューティングデバイスを含み、
前記チャンバコンピューティングデバイスは、前記成長レシピの単一のインスタンスを前記レシピプログラムから前記試験チャンバに適用するための試験コンパイラを実行し、
前記レシピプログラムは、前記複数のチャンバ環境アフェクタのうちの少なくとも１つを作動させる、
請求項６に記載のシステム。
【請求項９】
前記成長ポッドは、複数のポッド環境アフェクタを含み、前記複数のポッド環境アフェクタは、ヒータ、空気調節装置、加湿器、除湿器、ファン、酸素発生器、または二酸化炭素発生器のうちの少なくとも１つを含む、請求項６に記載のシステム。
【請求項１０】
前記成長ポッドは、前記レシピプログラムに関する問題を検出し、前記問題に関するアラートを提供し、
前記レシピプログラムは、前記レシピプログラムに対する改良をさらに決定するために、種々の時点で前記成長レシピの一部を改変するための特徴を含む、請求項６に記載のシステム。
【請求項１１】
成長ポッドをプログラムするためのプログラミングコンピューティングデバイスであって、
プロセッサと、
プログラミング論理を記憶しているメモリコンポーネントであって、前記プログラミング論理は、前記プロセッサによって実行されると、前記プログラミングコンピューティングデバイスに、少なくとも、
前記成長ポッドを制御するための複数のコマンドを含むスクリプト言語を提供することと、
前記成長ポッドに関連するデータを受信することと、
前記スクリプト言語を介して前記成長ポッドに関するコマンドを受信することと、
前記コマンドを利用し、前記成長ポッドにおいて利用される植物に関する成長レシピを定義するレシピプログラムを作成することと、
実装のために前記成長ポッドに前記レシピプログラムを送信することであって、前記実装は、前記成長ポッドを利用し、前記成長ポッドにおいて利用される複数のカートのそれぞれと対応する前記レシピプログラムの複数のインスタンスをインスタンス化することを含む、ことと
を実施させる、メモリコンポーネントと
を備える、プログラミングコンピューティングデバイス。
【請求項１２】
前記プログラミングコンピューティングデバイスは、前記成長ポッドに対する遠隔コンピューティングデバイス、または前記成長ポッドに統合されるポッドコンピューティングデバイスのうちの少なくとも１つとして構成される、請求項１１に記載のプログラミングコンピューティングデバイス。
【請求項１３】
前記プログラミングコンピューティングデバイスはさらに、前記成長ポッドにおける前記レシピプログラムの実行をシミュレートするためのシミュレータを記憶し、前記シミュレータは、前記複数のカートのサブセットまたは前記複数のカートのそれぞれをシミュレートするためのユーザオプションを含む、請求項１１に記載のプログラミングコンピューティングデバイス。
【請求項１４】
前記レシピプログラムは、試験チャンバ上で実装され、
前記試験チャンバは、試験カートと、複数のチャンバ環境アフェクタとを含む、閉鎖環境を画定し、
前記試験チャンバは、前記レシピプログラムを受信するチャンバコンピューティングデバイスを含み、
前記チャンバコンピューティングデバイスは、前記成長レシピの単一のインスタンスを前記レシピプログラムから前記試験チャンバに適用するための試験コンパイラを実行し、
前記レシピプログラムは、前記複数のチャンバ環境アフェクタのうちの少なくとも１つを作動させる、
請求項１１に記載のプログラミングコンピューティングデバイス。
【請求項１５】
前記レシピプログラムは、前記レシピプログラムに対する改良をさらに決定するために、種々の時点で前記成長レシピの一部を改変するための特徴を含む、請求項１１に記載のプログラミングコンピューティングデバイス。
【手続補正２】
【補正対象書類名】明細書
【補正対象項目名】０００８
【補正方法】変更
【補正の内容】
【０００８】
本開示の実施形態によって提供されるこれらおよび付加的特徴は、図面と併せて以下の詳細な説明に照らしてより完全に理解されるであろう。
本願明細書は、例えば、以下の項目も提供する。
（項目１）
成長ポッドであって、
複数の個別の植物を成長させるための複数のカートと、
複数のポッド環境アフェクタと、
プロセッサと、論理を記憶しているメモリコンポーネントとを含むポッドコンピューティングデバイスであって、前記論理は、前記プロセッサによって実行されると、前記成長ポッドに、少なくとも、
レシピプログラムを受信することであって、前記レシピプログラムは、前記成長ポッドに関する成長レシピを定義し、前記成長レシピは、前記複数の個別の植物に関する成長を促進するための前記複数のポッド環境アフェクタの少なくとも一部の作動を含み、前記レシピプログラムは、前記成長ポッドを制御するための複数のコマンドを含むスクリプト言語を介して作成されており、前記複数のコマンドは、前記成長ポッドに特有である、ことと、
前記複数のカートのそれぞれと対応する前記レシピプログラムの複数のインスタンスをインスタンス化することと
を実施させる、ポッドコンピューティングデバイスと
を備える、成長ポッド。
（項目２）
出力デバイスをさらに備え、前記論理はさらに、前記出力デバイスに、前記複数のカートのそれぞれのステータスを提供させる、項目１に記載の成長ポッド。
（項目３）
前記レシピプログラムは、最初に、遠隔コンピューティングデバイス上のシミュレータプログラムを介してシミュレートされ、前記シミュレータプログラムは、前記成長ポッドの仕様を受信し、前記複数のカートのうちの少なくとも１つ上での前記レシピプログラムの動作をシミュレートするように構成される、項目１に記載の成長ポッド。
（項目４）
前記レシピプログラムは、最初に、試験チャンバ上で実行され、
前記試験チャンバは、試験カートと、複数のチャンバ環境アフェクタとを含む、閉鎖環境を画定し、
前記試験チャンバは、前記レシピプログラムを受信するチャンバコンピューティングデバイスを含み、
前記チャンバコンピューティングデバイスは、前記成長レシピの単一のインスタンスを前記レシピプログラムから前記試験チャンバに適用するための試験コンパイラを実行し、
前記レシピプログラムは、前記複数のチャンバ環境アフェクタのうちの少なくとも１つを作動させる、
項目１に記載の成長ポッド。
（項目５）
前記複数のポッド環境アフェクタは、ヒータ、空気調節装置、加湿器、除湿器、ファン、酸素発生器、または二酸化炭素発生器のうちの少なくとも１つを含む、項目１に記載の成長ポッド。
（項目６）
前記成長ポッドは、前記レシピプログラムに関する問題を検出し、前記問題に関するアラートを提供する、項目１に記載の成長ポッド。
（項目７）
前記レシピプログラムは、前記レシピプログラムに対する改良をさらに決定するために、種々の時点で前記成長レシピの一部を改変するための特徴を含む、項目１に記載の成長ポッド。
（項目８）
プログラムするためのシステムであって、
植物を成長させるための複数のカートを含む成長ポッドと、
プロセッサと、論理を記憶しているメモリコンポーネントとを含むプログラミングコンピューティングデバイスであって、前記論理は、前記プロセッサによって実行されると、前記システムに、少なくとも、
前記成長ポッドを制御するための複数のコマンドを含むスクリプト言語を提供することと、
前記成長ポッドに関連するデータを受信することと、
前記スクリプト言語を介して前記成長ポッドに関するコマンドを受信することと、
前記コマンドを利用し、前記成長ポッドにおいて利用されるとき、前記植物に関する成長レシピを定義するレシピプログラムを作成することと、
前記レシピプログラムを前記成長ポッド上に実装することであって、前記実装することは、前記成長ポッドを利用し、前記複数のカートのそれぞれと対応する前記レシピプログラムの複数のインスタンスをインスタンス化することを含む、ことと
を実施させる、プログラミングコンピューティングデバイスと
を備える、システム。
（項目９）
前記プログラミングコンピューティングデバイスはさらに、前記成長ポッドにおける前記レシピプログラムの実行をシミュレートするためのシミュレータを記憶する、項目８に記載のシステム。
（項目１０）
前記シミュレータは、前記複数のカートのサブセットまたは前記複数のカートのそれぞれをシミュレートするためのユーザオプションを含む、項目９に記載のシステム。
（項目１１）
試験チャンバをさらに備え、
前記試験チャンバは、試験カートと、複数のチャンバ環境アフェクタとを含む、閉鎖環境を画定し、
前記試験チャンバは、前記レシピプログラムを受信するチャンバコンピューティングデバイスを含み、
前記チャンバコンピューティングデバイスは、前記成長レシピの単一のインスタンスを前記レシピプログラムから前記試験チャンバに適用するための試験コンパイラを実行し、
前記レシピプログラムは、前記複数のチャンバ環境アフェクタのうちの少なくとも１つを作動させる、
項目８に記載のシステム。
（項目１２）
前記成長ポッドは、複数のポッド環境アフェクタを含み、前記複数のポッド環境アフェクタは、ヒータ、空気調節装置、加湿器、除湿器、ファン、酸素発生器、または二酸化炭素発生器のうちの少なくとも１つを含む、項目８に記載のシステム。
（項目１３）
前記成長ポッドは、前記レシピプログラムに関する問題を検出し、前記問題に関するアラートを提供する、項目８に記載のシステム。
（項目１４）
前記レシピプログラムは、前記レシピプログラムに対する改良をさらに決定するために、種々の時点で前記成長レシピの一部を改変するための特徴を含む、項目８に記載のシステム。
（項目１５）
成長ポッドをプログラムするためのプログラミングコンピューティングデバイスであって、
プロセッサと、
プログラミング論理を記憶しているメモリコンポーネントであって、前記プログラミング論理は、前記プロセッサによって実行されると、前記プログラミングコンピューティングデバイスに、少なくとも、
前記成長ポッドを制御するための複数のコマンドを含むスクリプト言語を提供することと、
前記成長ポッドに関連するデータを受信することと、
前記スクリプト言語を介して前記成長ポッドに関するコマンドを受信することと、
前記コマンドを利用し、前記成長ポッドにおいて利用される植物に関する成長レシピを定義するレシピプログラムを作成することと、
実装のために前記成長ポッドに前記レシピプログラムを送信することであって、前記実装は、前記成長ポッドを利用し、前記成長ポッドにおいて利用される複数のカートのそれぞれと対応する前記レシピプログラムの複数のインスタンスをインスタンス化することを含む、ことと
を実施させる、メモリコンポーネントと
を備える、プログラミングコンピューティングデバイス。
（項目１６）
前記プログラミングコンピューティングデバイスは、前記成長ポッドに対する遠隔コンピューティングデバイスとして構成される、項目１５に記載のプログラミングコンピューティングデバイス。
（項目１７）
前記プログラミングコンピューティングデバイスは、前記成長ポッドに統合されるポッドコンピューティングデバイスとして構成される、項目１６に記載のプログラミングコンピューティングデバイス。
（項目１８）
前記プログラミングコンピューティングデバイスはさらに、前記成長ポッドにおける前記レシピプログラムの実行をシミュレートするためのシミュレータを記憶し、前記シミュレータは、前記複数のカートのサブセットまたは前記複数のカートのそれぞれをシミュレートするためのユーザオプションを含む、項目１５に記載のプログラミングコンピューティングデバイス。
（項目１９）
前記レシピプログラムは、試験チャンバ上で実装され、
前記試験チャンバは、試験カートと、複数のチャンバ環境アフェクタとを含む、閉鎖環境を画定し、
前記試験チャンバは、前記レシピプログラムを受信するチャンバコンピューティングデバイスを含み、
前記チャンバコンピューティングデバイスは、前記成長レシピの単一のインスタンスを前記レシピプログラムから前記試験チャンバに適用するための試験コンパイラを実行し、
前記レシピプログラムは、前記複数のチャンバ環境アフェクタのうちの少なくとも１つを作動させる、
項目１５に記載のプログラミングコンピューティングデバイス。
（項目２０）
前記レシピプログラムは、前記レシピプログラムに対する改良をさらに決定するために、種々の時点で前記成長レシピの一部を改変するための特徴を含む、項目１５に記載のプログラミングコンピューティングデバイス。